(57)【要約】【課題】  グリル庫の上方に有る赤外線センサの雰囲気温度を低減する。【解決手段】  本体１と、本体１に内蔵されたグリル庫４と、本体１の上方に設置されたトッププレート２と、トッププレート２の下方に配した複数の加熱コイル３と、加熱コイル３の下方に配した赤外線センサユニット３４と、冷却風を送風するファン装置７と、グリル庫４の上方に配置した加熱コイル３へ冷却風を導くダクト８と、グリル庫４の上方に仕切板９と、を備え、仕切板９は、赤外線センサユニット３４の下面の凸形状に合わせた凹形状を有したものである。【選択図】図５
2020004480.tif 000002
【特許請求の範囲】
【請求項１】
本体と、
前記本体に内蔵されたグリル庫と、
前記本体の上方に設置されたトッププレートと、
前記トッププレートの下方に配した複数の加熱コイルと、
前記加熱コイルの下方に配した赤外線センサユニットと、
冷却風を送風するファン装置と、
前記グリル庫の上方に配置した前記加熱コイルへ冷却風を導くダクトと、
前記グリル庫の上方に仕切板と、を備え、
前記仕切板は、前記赤外線センサユニットの下面の凸形状に合わせた凹形状を有していることを特徴とする、誘導加熱調理器。
【請求項２】
請求項１に記載の誘導加熱調理器において、
複数の基板が収納され、上段空間と下段空間とを有した基板ケースを備え、
前記基板ケースの上部には前記上段空間と連通する噴出し孔が設けられ、
前記基板ケースの前記グリル庫側には前記下段空間と連通するダクト接続口が設けられ、
前記ダクト接続口から前記グリル庫の上方に配置した前記加熱コイルへ冷却風を導くダクトと、を備えたことを特徴とする、誘導加熱調理器。
【請求項３】
請求項１または２に記載の誘導加熱調理器において、
前記仕切板の上方に前記加熱コイルを支持する加熱コイル台を備え、
前記加熱コイル台は、
前記加熱コイルと前記仕切板との絶縁を保つ絶縁部を備え、
前記絶縁部は、前記赤外線センサユニットが設けられていない部分よりも前記赤外線センサユニット側へ冷却風が多く流れるように傾斜部を備えたことを特徴とする、誘導加熱調理器。
【請求項４】
請求項３に記載の誘導加熱調理器において、
前記加熱コイル台は、前記加熱コイル側に冷却風が流れるように立ち上げられた整流壁を備えたことを特徴とする、誘導加熱調理器。
【請求項５】
請求項３または４に記載の誘導加熱調理器において、
前記加熱コイル台は樹脂製であることを特徴とする、誘導加熱調理器。
【請求項６】
請求項１乃至５のいずれか１項に記載の誘導加熱調理器において、
前記仕切板は、少なくとも前記赤外線センサユニットの下部から上流部分まで、金属製であることを特徴とする、誘導加熱調理器。
【発明の詳細な説明】
【技術分野】
【０００１】
本発明は、誘導加熱調理器に関する。
【背景技術】
【０００２】
誘導加熱調理器には、魚焼きを行うグリル庫の無い機種とグリル庫を備え魚焼きなどの調理を行う構成を備えた機種とがある。グリル庫を備えた機種では、グリル庫で調理を行うとグリル庫の上方に配置している部品の温度が高くなる課題がある。
【０００３】
この課題を解決するものとして特許文献１では、グリル庫の上方にある加熱コイルと加熱コイルに設けた鍋温度検出装置（赤外線センサ）の温度を低減するために、グリル庫の上方に冷却風の流れるダクトで覆い、加熱コイルの下方の位置にダクトより冷却風を吹き出す吹出口を設け、加熱コイルと鍋温度検出装置（赤外線センサ）を冷却するものである。そのため、グリル庫が調理で使用されている時でも、グリル庫の上方に冷却風を流すダクトで覆う事で、例えグリル庫の上面の温度が高くなって輻射熱が発生しても、冷却風が流れるダクトに遮られることで鍋温度検出装置が過大に加熱される事が無い。
【先行技術文献】
【特許文献】
【０００４】
【特許文献１】特開２０１６−１６２７０３号公報
【発明の概要】
【発明が解決しようとする課題】
【０００５】
前述した特許文献１は、加熱コイルとグリル庫（加熱室）との間にダクト（通風ダクト）を設ける隙間があるため、冷却風が流れるダクトを加熱コイルの下面まで設けることができる。これにより、加熱コイルや赤外線センサを直接的に冷却するとともにグリル庫で調理している時に発生する輻射熱をダクトによって遮る事が可能となっている。
【０００６】
しかし、加熱コイルとグリル庫間の隙間が小さくなると、グリル庫の上方にこのダクトが設けられない課題が生じる。その場合、特に熱に弱い赤外線センサが高温にさらされ、赤外線センサの温度検出性能や寿命に悪影響を及ぼす可能性がある。
【０００７】
本発明は、グリル庫の上方に有る赤外線センサの雰囲気温度を低減することを目的とする。
【課題を解決するための手段】
【０００８】
前記課題を解決するために、本発明に係る誘導加熱調理器は、本体と、前記本体に内蔵されたグリル庫と、前記本体の上方に設置されたトッププレートと、前記トッププレートの下方に配した複数の加熱コイルと、前記加熱コイルの下方に配した赤外線センサユニットと、冷却風を送風するファン装置と、前記グリル庫の上方に配置した前記加熱コイルへ冷却風を導くダクトと、前記グリル庫の上方に仕切板と、を備え、前記仕切板は、前記赤外線センサユニットの下面の凸形状に合わせた凹形状を有したものである。
【発明の効果】
【０００９】
本発明によれば、グリル庫の上方に有る赤外線センサの雰囲気温度を低減することができる。
【図面の簡単な説明】
【００１０】
【図１】誘導加熱調理器の斜視図
【図２】誘導加熱調理器の内部説明図
【図３】図２に示すＣ−Ｃ線で切断した正面断面図
【図４】図２に示すＡ−Ａ線で切断した正面断面図
【図５】図２に示すＢ−Ｂ線で切断した側面の説明図
【図６】左側の加熱コイルを除いた箇所を上方から見た説明図
【発明を実施するための形態】
【００１１】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の実施例の構成を適宜組み合わせることも当初から予定している。また、本発明を説明するための全図において、同一の機能を有するものは、同一の符号を付け、その繰り返しの説明は省略する場合がある。
【００１２】
図１は、誘導加熱調理器の斜視図である。誘導加熱調理器の本体１は、電気ヒータ等で被調理物（図示せず）を加熱するグリル庫４を備え、金属製である被調理鍋（図示せず）の鍋底に渦電流を発生させて、この渦電流によるジュール熱によって被調理鍋を発熱させる据置タイプの誘導加熱調理器を示している。なお、誘導加熱調理器に相対したユーザの視線を基準として、図１等に示すように前後・上下・左右を定義する。
【００１３】
本体１の正面左側のグリル庫４は、前後にスライドして被調理物（図示せず）を設置するためのドア部４１を正面に設けている。
【００１４】
トッププレート２は、被調理鍋が載置される板状ガラス（図示せず）と、板状ガラスの四辺を保持する枠部（図示せず）で構成され、本体１の上から覆うように設置している。
【００１５】
このトッププレート２は、後述する二つの加熱コイル３ａ、３ｂ（図２に図示）の設置位置に対応した二口の鍋載置部２１と、被調理鍋の火加減を調整するための操作部２２と、排気開口部２３とを有している。なお、排気開口部２３には、後述するファン装置７（図３に図示）から吹き出る空気を排出するための複数の孔を設けた排気カバー２４を載置している。
【００１６】
図２は、誘導加熱調理器の内部説明図である。この誘導加熱調理器は、左側にグリル庫４、右側に基板ケース６、及びこれらの上方に加熱コイル３等が設置され、さらに上から蓋をするように前述したトッププレート２を設置している。加熱コイル３（３ａ、３ｂ）は、例えば２０ｋＨｚ〜４０ｋＨｚ程度の高周波電流を流して磁束が時間的に変化することで渦電流を発生させる。
【００１７】
このグリル庫４の加熱室４２は、例えば魚などの被調理物を配置する空間であり、熱源である電熱ヒータ（後述する上ヒータ４３、下ヒータ４４）と、グリル皿４５とを有している。
【００１８】
加熱コイル３には、インバータ回路（後述する基板５）の駆動によって高周波電流が流れるリッツ線を巻いたコイル３５と、コイル３５を載置するコイルベース３１と、コイル３５の外周に防磁リング３６と、コイルベース３１下面側にインバータ回路から回路を接続するための端子３７が設けられている。そして加熱コイル３は、コイルベース３１に設けられた３つの支持部をバネ（図示せず）で支持され、このバネによって上向きの付勢力が与えられている。これによって、加熱コイル３はトッププレート２の下面に押し付けられ、被調理鍋と加熱コイル３との距離が一定に保たれる。
【００１９】
この加熱コイル３には、加熱コイル３の上面に鍋底の温度を検出する温度センサ３３と、トッププレート２に載置された鍋の鍋底より放射される赤外線を検出する赤外線センサを有する赤外線センサユニット３４を設置している。
【００２０】
なお、本実施例では、平面視において右側には後述する基板ケース６の上方に加熱コイル３ｂが、左側にはグリル庫４の上方に加熱コイル３ａが設けている。
【００２１】
次に、加熱コイル３および赤外線センサユニット３４を冷却するための構成について説明する。
【００２２】
先ず、基板ケース６内の風路について、図３および図４を用いて説明する。
【００２３】
図３は、図２に示すＣ−Ｃ線で切断した正面断面図である。基板ケース６には、加熱コイル３に電力を供給するインバータ回路やインバータ回路を制御する制御回路が搭載された基板５と、基板５や加熱コイル３に冷却風を送風するファン装置７が収納されている。ファン装置７は、噴出し口７ａから冷却風を吐出し、基板５を冷却する。但し、ファン装置７は基板ケース６に必ずしも収納されている必要は無く、独立して設けていても良い。
【００２４】
基板ケース６内には、２種類の基板５である基板５ａと基板５ｂとが２段に積み重ねられ、下段側に基板５ａ、上段側に基板５ｂが設けられている。そして、基板ケース６の基板５が収められている空間は基板５ｂによって略仕切られ、下段側に基板５ａが収納された下段空間６ａと上段側に基板５ｂの表面と基板５ｂに配置された部品を望ましている上段空間６ｂとに分けられている。なお、基板５ｂの半田面は下段空間６ａに面している。
【００２５】
図４は、図２に示すＡ−Ａ線で切断した正面断面図である。基板ケース６の上方に設けた加熱コイル３ｂを冷却するため、基板ケース６の上部には上段空間６ｂと連通する噴出し孔６ｃを設けている。また、グリル庫４の上方に設けた加熱コイル３ａに冷却風を送るために、基板ケース６のグリル庫４側に下段空間６ａと連通するダクト接続口６ｄを設けている。さらに下段空間６ａと上段空間６ｂへの冷却風の送風は、ファン装置７の噴出し口７ａから両方に同時に送風される。
【００２６】
次に、図３と図４を用いて、風路構成および冷却風の流れについて説明する。
【００２７】
誘導加熱調理器の外からファン装置７によって吸引された温度の低い冷却風は、ファン装置７の噴出し口７ａから送風され、基板５が収められている下段空間６ａと上段空間６ｂの両方に同時に送風される。先ず、上段空間６ｂに送風された冷却風は、基板５ｂを冷却した後、噴出し孔６ｃを通過して加熱コイル３ｂと加熱コイル３ｂの下面に設けている赤外線センサユニット３４を冷却し、排気開口部２３を通して誘導加熱調理器の外に排気される。次に、下段空間６ａに送風された冷却風は、基板５ａを冷却した後、ダクト接続口６ｄからダクト８を経由し、ダクト８の噴出し口８ａより加熱コイル３ａのコイルベース３１の下面と仕切板９との間に送風され、加熱コイル３ａと加熱コイル３ａの下面に設けている赤外線センサユニット３４を冷却し、排気開口部２３を通して誘導加熱調理器の外に排気される。
【００２８】
この独立した二系統の風路を、先に説明した上段空間６ｂを通る風路を風路Ｂ、後から説明した下段空間６ａを通る風路を風路Ａとする。
【００２９】
本体１の内部には、雰囲気温度が高いため多くの冷却風が必要な部品、発熱が大きいため多くの冷却風が必要な部品、雰囲気温度が低い環境に置かれる部品、発熱が小さい部品などが混在している。例えば、加熱時の出力が同じ加熱コイル３では、グリル庫４の上方に有る加熱コイル３ａの周囲の方が加熱コイル３ｂの周囲よりも、グリル庫４が使用されている時は雰囲気温度が高くなる。よって、加熱コイル３ｂの下面に設けられている赤外線センサユニットよりも、加熱コイル３ａの下面に設けられている赤外線センサユニット３４の方が多くの冷却風が必要となる。また、回路部では電源を担う電子部品とコイル３５へ流す電力を作るインバータ回路を担う電子部品の発熱が大きくなるため、多くの冷却風が必要となる。
【００３０】
そこで、多くの冷却風が必要な部品とその他の部品とを分類し、多くの冷却風が必要な加熱コイル３ａと前述した電源とインバータ回路を担う電子部品を風路Ａ内に配置し、その他の部品を風路Ｂ内に配置して、ひとつのファン装置７で効率良く各部品を冷却するものである。風路Ａと風路Ｂとの流す冷却風の風量は、ファン装置７出口において、風路Ａの風路断面積を風路Ｂの風路断面積の３倍以上とすることで、風路Ａは風路Ｂの３倍以上の冷却風を流れるようにしている。
【００３１】
次に、左側の加熱コイル３ａを例にして、加熱コイル３ａと赤外線センサユニット３４の冷却について説明する。
【００３２】
図５は、図２に示すＢ−Ｂ線で切断した側面の説明図である。まず、グリル庫４の上面を覆う仕切板９を配置し、グリル庫４と仕切板９との間に空気層１０２を設ける。この空気層１０２によって、グリル庫４から赤外線センサユニット３４への輻射熱を低減できる。そして、仕切板９の上に、加熱コイル３ａを支持するための加熱コイル台１０を配置している。
【００３３】
加熱コイル３ａの後側の下面には、赤外線センサユニット３４が設けられている。よって、加熱コイル３ａと赤外線センサユニット３４とを一体とした場合の下面の後側は、下方方向に凸状に突出している。
【００３４】
そのため、例えば仕切板９が平らな場合、加熱コイル３ａと仕切板９との間に冷却風を送風すると、冷却風は流路抵抗の小さい赤外線センサユニット３４の無い方へと流れてしまい、赤外線センサユニット３４を効率良く冷却できなくなる課題が発生する。
【００３５】
そこで、赤外線センサユニット３４の周囲、特に赤外線センサユニット３４の側面に冷却風が効率良く流れるように、加熱コイル３ａと赤外線センサユニット３４とを一体とした場合の下面の凸状の形状に合わせて、仕切板９に凹部９ａを設ける。これにより、赤外線センサユニット３４の側面の風路１０１ｃの流路抵抗を小さくし、赤外線センサユニット３４の無い風路１０１ｂの流路抵抗を相対的に大きくしている（風路１０１ｂの長さ＜風路１０１ｃの長さ）。つまり、グリル庫４から仕切板９までの距離は、赤外線センサユニット３４が設けられている部分の下方よりも、赤外線センサユニット３４が設けられていない部分の下方の方が長い。これにより、赤外線センサユニット３４に冷却風が効率よく流れ、赤外線センサユニット３４を効率よく冷却することができる。
【００３６】
また、流路抵抗の小さく出来ない部分、本実施例では赤外線センサユニット３４の底面と凹部９ａとの隙間（風路１０１ａ）を大きく取ることができない。そこで、仕切板９は、凹部９ａ部分と凹部９ａへと流れる冷却風の風上の面を、一体の金属として構成する。これにより、仕切板の凹部９ａを冷却風で効率良く冷やして、赤外線センサユニット３４の底面側の温度を冷却することができる。
【００３７】
加熱コイル台１０には、加熱コイル３ａのコイルベース３１に設けられた３つの支持部を支持するバネ（図示せず）を保持する保持部１０ａ（図６に図示）と、加熱コイル３ａの端子３７と仕切板９との絶縁を保つ絶縁部１０ｃを設けている。さらに、加熱コイル３ａと加熱コイル台１０との間に送風された冷却風が加熱コイル３ａの外周方向から流れ出る時に、加熱コイル３ａの下面を効率良く冷却できるように、整流壁１０ｂを立ち上げている。これにより、加熱コイル３ａ側に冷却風を押し上げて、加熱コイル３ａ側に冷却風が流れ、加熱コイル３ａを効率よく冷却することができる。また、冷却風が赤外線センサユニット３４側へ、赤外線センサユニット３４が設けられていない部分よりも多く流れるように、冷却風の流れに沿った傾斜部１０ｄを絶縁部１０ｃに設けている。
【００３８】
また加熱コイル台１０は、樹脂でできており、グリル庫４から加熱コイル３ａへの輻射熱を低減できる。
【００３９】
図６は、左側の加熱コイル３ａを除いた箇所を上方から見た説明図である。基板ケース６のダクト接続口６ｄ（図４に図示）から加熱コイル３ａへの冷却風は、ダクト接続口６ｄからダクト８を経由し、ダクト８の噴出し口８ａを通過して加熱コイル３ａの外郭近傍まで導かれる。噴出し口８ａは、加熱コイル３ａのコイルベース３１の下面より下方に位置し、冷却風が加熱コイル３ａの下面に流れ込むようにしている。
【００４０】
以上の構成から、ダクト８の噴出し口８ａより送風され、加熱コイル３ａのコイルベース３１の下面と仕切板９との間を流れる冷却風の流れについて説明する。
【００４１】
冷却風は、金属板よりできた仕切板９を冷却することで、赤外線センサユニット３４の底面部側の温度上昇を低減する。
【００４２】
また、赤外線センサユニット３４の側面側の風路抵抗の少ない風路１０１ｃに多くの冷却風が流れることで、効率よく赤外線センサユニット３４を冷却できる。
【００４３】
また、絶縁部１０ｃに設けられた傾斜部１０ｄにより、冷却風を赤外線センサユニット３４側へと集めている。これにより、赤外線センサユニット３４の温度上昇を低減できる。
【００４４】
なお、赤外線センサユニット３４を冷却した冷却風は、コイル３５間の隙間（特に内コイルと外コイルとの間）からトッププレート２と加熱コイル３ａの上面との隙間を通り抜けるときにコイル３５を冷却し、加熱コイル３ａの下面と加熱コイル台１０に設けた整流壁１０ｂとの間を通り抜ける時に加熱コイル３ａの下面を冷却した後、排気開口部２３を介して排出される。
【００４５】
本発明によれば、グリル庫で調理している時でも、グリル庫の上方に有る赤外線センサの雰囲気温度を低減することができ、鍋底の温度を正確に検出することができる。
【符号の説明】
【００４６】
１・・・本体
２・・・トッププレート
３（３ａ、３ｂ）・・・加熱コイル
４・・・グリル庫
５（５ａ、５ｂ）・・・基板
６・・・基板ケース
６ａ・・・下段空間
６ｂ・・・上段空間
６ｃ・・・噴出し孔
６ｄ・・・ダクト接続口
７・・・ファン装置
８・・・ダクト
９・・・仕切板
９ａ・・・仕切板の凹部
１０・・・加熱コイル台
１０ｂ・・・整流壁
１０ｃ・・・絶縁部
１０ｄ・・・傾斜部
２１・・・鍋載置部
２２・・・操作部
２３・・・排気開口部
２４・・・排気カバー
３１・・・コイルベース
３３・・・温度センサ
３４・・・赤外線センサユニット
３５・・・コイル
４１・・・ドア部
４２・・・加熱室
１０１（１０１ａ、１０１ｂ、１０１ｃ）・・・風路
１０２・・・空気層
【図１】
2020004480.tif 000003
【図２】
2020004480.tif 000004
【図３】
2020004480.tif 000005
【図４】
2020004480.tif 000006
【図５】
2020004480.tif 000007
【図６】
2020004480.tif 000008